(57)【要約】無線通信ネットワークにおいて、効率的にレンジングを実行するための方法が移動局によって実施される。方法は、レンジングコードを基地局に送信することを含む。方法は、また、基地局からレンジング応答メッセージを受信することを含む。方法は、さらに、レンジング失敗条件が満たされるか否かを決定することを含む。レンジング失敗条件は、持続時間以外の何かに関係する。方法は、さらに、レンジング失敗条件が満たされる場合に、レンジングコードを基地局に再送信することを含む。【選択図】図6
2011525337.tif 000002
【特許請求の範囲】
【請求項１】
無線通信ネットワークにおいてレンジングを効率的に実行するための方法であって、前記方法は移動局によって実施され、
レンジングコードを基地局に送信することと；
レンジング応答メッセージを前記基地局から受信することと；
レンジング失敗条件が満たされるか否かを決定することと、なお、前記レンジング失敗条件は持続時間以外の何かに関する；
前記レンジング失敗条件が満たされる場合に、前記レンジングコードを前記基地局に再送信することと；
を備える方法。
【請求項２】
前記レンジング失敗条件は、前記レンジングコードに対応する第1のフレーム番号が前記レンジング応答メッセージに対応する第2のフレーム番号よりも早いことである、請求項1の方法。
【請求項３】
前記レンジング失敗条件は、N − 128 < M < Nと表され、Mは第1のフレーム番号の最下位8ビットを示し、前記第1のフレーム番号の最下位8ビットは前記移動局が前記レンジングコードを送信したOFDMAフレームの前記フレーム番号であり、Nは第2フレーム番号の最下位8ビットを示し、前記第2のフレーム番号の最下位8ビットは前記レンジング応答メッセージの属性において特定される、請求項1の方法。
【請求項４】
前記レンジング失敗条件はN + 128 < M < N + 256と表され、Mは第1のフレーム番号の最下位8ビットを示し、前記第1のフレーム番号の最下位8ビットは、前記移動局が前記レンジングコードを送信したOFDMAフレームの前記フレーム番号であり、Nは前記第2のフレーム番号の最下位8ビットを示し、および、前記第2のフレーム番号の最下位8ビットは前記レンジング応答メッセージの属性において特定される、請求項1の方法。
【請求項５】
前記レンジングコードを前記基地局に最初に送信するとレンジングタイマが設定され、前記レンジングコードは、前記レンジングタイマの終了前に前記基地局に再送信される、請求項1の方法。
【請求項６】
前記レンジング応答メッセージは、特定のフレームにおいて受信され、任意の付加的なレンジング応答メッセージが、前記レンジングコードを前記基地局に再送信する前に同一のフレームにおいて受信されたか否かを決定することをさらに備える、請求項1の方法。
【請求項７】
前記移動局は、1つ以上のアメリカ電気電子学会（IEEE）802.16標準をサポートする1つ以上の無線通信ネットワークにおける動作のために構成される、請求項1の方法。
【請求項８】
IEEE 802.16e端末およびIEEE 802.16m端末は同一のレンジング領域を共有する、請求項7の方法。
【請求項９】
レンジングコードは、第1のセットはIEEE 802.16e端末によって使用されるためのものであり、第2のセットはIEEE 802.16m端末によって使用されるためのものである2つの異なるセットのレンジングコードに分割される、請求項8の方法。
【請求項１０】
前記レンジング応答メッセージ内のレンジング属性は、前記レンジング応答メッセージが前記第1のセットのレンジングコードからのレンジングコードのためのものか前記第2のセットのレンジングコードからのレンジングコードのためのものかを表示するように設定される、請求項9の方法。
【請求項１１】
前記移動局はIEEE 802.16eのために構成され、前記レンジング応答メッセージにおいて特定される前記レンジング属性が前記第1のセットのレンジングコードからのレンジングコードに対応するか前記第2のセットのレンジングコードからのレンジングコードに対応するか決定することをさらに備える、請求項10の方法。
【請求項１２】
無線通信ネットワークにおいて効率的なレンジングを促進するための方法であって、前記方法は基地局によって実施され：
レンジングコードを移動局から受信することと；
前記レンジングコードの受信に応答して前記移動局にレンジング応答メッセージを送信することと、なお、前記レンジング応答メッセージは順番に送信され、それにより、より遅いフレーム番号の受信レンジングコードに対応するレンジング応答メッセージが、より早いフレーム番号の受信レンジングコードに対応する全ての前記レンジング応答メッセージが送信された後に送信される；
を備える方法。
【請求項１３】
前記基地局は、1つ以上のアメリカ電気電子学会（IEEE）802.16標準をサポートする1つ以上の無線通信ネットワークにおける動作のために構成される、請求項12の方法。
【請求項１４】
無線通信ネットワークにおいてレンジングを効率的に実行するように構成された移動局であって：
プロセッサと；
前記プロセッサと電子的に通信するメモリと；
前記メモリに記憶される命令と、なお前記命令は；
レンジングコードを基地局に送信し；
レンジング応答メッセージを前記基地局から受信し；
レンジング失敗条件が満たされるか否かを決定し、なお、前記レンジング失敗条件は持続時間以外の何かに関係する；
前記レンジング失敗条件が満たされる場合に、前記レンジングコードを前記基地局に再送信する；
ために前記プロセッサによって実行可能である；
を備える、移動局。
【請求項１５】
前記レンジング失敗条件は、前記レンジングコードに対応する第1のフレーム番号が前記レンジング応答メッセージに対応する第2のフレーム番号よりも早いことである、請求項14の移動局。
【請求項１６】
前記レンジング失敗条件はN − 128 < M < Nと表され、Mは第1のフレーム番号の最下位8ビットを示し、前記第1のフレーム番号の最下位8ビットは、前記移動局が前記レンジングコードを送信したOFDMAの前記フレーム番号であり、Nは第2のフレーム番号の最下位8ビットを示し、前記第2のフレーム番号の最下位8ビットは前記レンジング応答メッセージの属性において特定される、請求項14の移動局。
【請求項１７】
前記レンジング失敗条件はN + 128 < M < N + 256と表され、Mは第1のフレーム番号の最下位8ビットを示し、前記第1のフレームの最下位8ビットは、前記移動局が前記レンジングコードを送信したOFDMAの前記フレーム番号であり、Nは第2のフレーム番号の最下位8ビットを示し、前記第2のフレーム番号の最下位8ビットは、前記レンジング応答メッセージの属性において特定される、請求項14の移動局。
【請求項１８】
前記レンジングコードを前記基地局に最初に送信するとレンジングタイマが設定され、前記レンジングコードは、前記レンジングタイマの終了前に前記基地局に再送信される、請求項14の移動局。
【請求項１９】
前記レンジング応答メッセージは、特定のフレームにおいて受信され、前記命令は、また、任意の付加的なレンジング応答メッセージが前記レンジングコードを前記基地局に再送信する前に、同一のフレームにおいて受信されたか否かを決定するために実行可能である、請求項14の移動局。
【請求項２０】
前記移動局は、1つ以上のアメリカ電気電子学会（IEEE）802.16標準をサポートする1つ以上の無線通信ネットワークにおける動作のために構成される、請求項14の移動局。
【請求項２１】
IEEE 802.16e端末およびIEEE 802.16m端末は同一のレンジング領域を共有する、請求項20の移動局。
【請求項２２】
レンジングコードは、IEEE 802.16e端末によって使用されるべき第1のセットおよびIEEE 802.16m端末によって使用されるべき第2のセットの2つの異なるセットのレンジングコードに分割される、請求項21の移動局。
【請求項２３】
前記レンジング応答メッセージ内のレンジング属性は、前記レンジング応答メッセージが前記第1のセットのレンジングコードからのレンジングコードのためのものか、前記第2のセットのレンジングコードからのレンジングコードのためのものかを表示するように設定される、請求項22の移動局。
【請求項２４】
前記移動局はIEEE 802.16eのために構成され、前記命令は、また、前記レンジング応答メッセージで特定される前記レンジング属性が、前記第1のセットのレンジングコードからのレンジングコードに対応するか前記第2のセットのレンジングコードからのレンジングコードに対応するかを決定するために実行可能である、請求項23の移動局。
【請求項２５】
無線通信ネットワークにおいて、効率的なレンジングを促進するように構成された基地局であって、
プロセッサと；
前記プロセッサと電子的に通信するメモリと；
前記メモリに記憶される命令と、なお前記命令は：
レンジングコードを移動局から受信し；
前記レンジングコードを受信することに応答してレンジング応答メッセージを前記移動局に送信する、なお、前記レンジング応答メッセージは順番に送信され、それによって、より遅いフレーム番号の受信レンジングコードに対応するレンジング応答メッセージが、より早いフレーム番号の受信レンジングコードに対応する全てのレンジング応答メッセージが送信された後に送信される；
ために前記プロセッサによって実行可能である；
を備える基地局。
【請求項２６】
前記基地局は、1つ以上のアメリカ電気電子学会（IEEE）802.16標準をサポートする1つ以上の無線通信ネットワークにける動作のために構成される、請求項25の基地局。
【請求項２７】
無線通信ネットワークにおいてレンジングを効率的に実施するように構成された移動局であって：
レンジングコードを基地局に送信するための手段と；
レンジング応答メッセージを前記基地局から受信するための手段と；
レンジング失敗条件が満たされるか否かを決定するための手段と、なお、前記レンジング失敗条件は、持続時間以外の何かに関係する；
前記レンジング失敗条件が満たされる場合に前記レンジングコードを前記基地局に再送信するための手段と；
を備える移動局。
【請求項２８】
前記レンジング失敗条件は、前記レンジングコードに対応する第1のフレーム番号が、前記レンジング応答メッセージに対応する第2のフレーム番号よりも早いことである、請求項27の移動局。
【請求項２９】
前記レンジング失敗条件はN − 128 < M < Nと表され、Mは第1のフレーム番号の最下位8ビットを表し、前記第1のフレーム番号の最下位8ビットは、前記移動局が前記レンジングコードを送信したOFDMAの前記フレーム番号であり、Nは第2のフレーム番号の最下位8ビットを示し、前記第2のフレーム番号の最下位8ビットは前記レンジング応答メッセージの属性において特定される、請求項27の移動局。
【請求項３０】
前記レンジング失敗条件はN + 128 < M < N + 256として表され、Mは第1のフレーム番号の最下位8ビットを表し、前記第1のフレーム番号の最下位8ビットは、前記移動局が前記レンジングコードを送信したOFDMAの前記フレーム番号であり、Nは第2のフレーム番号の最下位8ビットを示し、前記第2のフレーム番号の最下位8ビットは、前記レンジング応答メッセージの属性において特定される、請求項27の移動局。
【請求項３１】
無線通信ネットワークにおいて効率的なレンジングを促進するように構成された基地局であって：
レンジングコードを移動局から受信するための手段と；
前記レンジングコードを受信することに応答して、レンジング応答メッセージを前記移動局に送信するための手段と、なお、前記レンジング応答メッセージは順番に送信され、それによって、より遅いフレーム番号の受信レンジングコードに対応するレンジング応答メッセージが、より早いフレーム番号の受信レンジングコードに対応する全ての前記レンジング応答メッセージが送信された後に送信される；
を備える基地局。
【請求項３２】
無線通信ネットワークにおいてレンジングを効率的に実行するためのコンピュータプログラム製品であって、その上に命令を有するコンピュータ読み取り可能媒体を備え、前記命令は：
レンジングコードを基地局に送信するためのコードと；
レンジング応答メッセージを前記基地局から受信するためのコードと；
レンジング失敗条件が満たされるか否かを決定するためのコードと、なお、前記レンジング失敗条件は、持続時間以外の何かに関係する；
前記レンジング失敗条件が満たされる場合に、前記レンジングコードを前記基地局に再送信するためのコードと；
を備える、コンピュータプログラム製品。
【請求項３３】
前記レンジング失敗条件は、前記レンジングコードに対応する第1のフレーム番号が前記レンジング応答メッセージに対応する第2のフレーム番号よりも早いことである、請求項32のコンピュータプログラム製品。
【請求項３４】
前記レンジング失敗条件はN − 128 < M < Nと表され、Mは第1のフレーム番号の最下位8ビットを示し、前記第1のフレーム番号の最下位8ビットは、前記移動局が前記レンジングコードを送信したOFDMAの前記フレーム番号であり、Nは第2のフレーム番号の最下位8ビットを示し、前記第2のフレーム番号の最下位8ビットは前記レンジング応答メッセージの属性において特定される、請求項32のコンピュータプログラム製品。
【請求項３５】
前記レンジング失敗条件はN + 128 < M < N + 256と表され、Mは第1のフレーム番号の最下位8ビットを表し、前記第1のフレーム番号の最下位8ビットは、前記移動局が前記レンジングコードを送信したOFDMAの前記フレーム番号であり、Nは第2のフレーム番号の最下位8ビットを示し、前記第2のフレーム番号の最下位8ビットは前記レンジング応答メッセージの属性において特定される、請求項32のコンピュータプログラム製品。
【請求項３６】
無線通信ネットワークにおける効率的なレンジングを促進するためのコンピュータプログラム製品であって、その上に命令を有するコンピュータ読み取り可能媒体を備え、前記命令は：
レンジングコードを移動局から受信するためのコードと；
前記レンジングコードを受信することに応答してレンジング応答メッセージを前記移動局に送信するためのコードと、なお、前記レンジング応答メッセージは順番に送信され、それによって、より遅いフレーム番号の受信レンジングコードに対応するレンジング応答メッセージが、より早いフレーム番号の受信レンジングコードに対応する全ての前記レンジング応答メッセージが送信された後に送信される；
を備える、コンピュータプログラム製品。
【発明の詳細な説明】
【優先出願】
【０００１】
本出願は、全ての目的のために参照により完全に本明細書に組み込まれる、2008年6月20日に出願された「無線通信システムにおける高速レンジングのための方法およびシステム（Methods and Systems for Fast Ranging in Wireless Communication Systems）」と題する米国仮出願61/074,537号の優先権を主張する。
【技術分野】
【０００２】
本開示は一般に通信ネットワークに関する。さらに詳細には、本開示は、無線通信ネットワークにおける高速レンジングのための方法および装置に関する。
【背景技術】
【０００３】
本明細書に使用されるように、「移動局」という用語は、無線通信ネットワーク上の音声および／またはデータ通信に使用される電子デバイスを指す。移動局の例は、携帯電話、携帯情報端末（PDA）、ハンドヘルドデバイス、無線モデム、ラップトップコンピュータ、パーソナルコンピュータなどを含む。移動局は、あるいは、アクセス端末、モバイル端末、加入者局、遠隔局、ユーザー端末、端末、加入者ユニット、ユーザー機器などと呼ばれる。
【０００４】
無線通信ネットワークは、各々が基地局によってサービスされる多くの移動局に通信を提供する。基地局は、あるいは、アクセスポイント、ノードBまたはいくつかの別の用語で呼ばれる。
【０００５】
移動局は、アップリンクおよびダウンリンク上の伝送を介して1つ以上の基地局と通信する。アップリンク（または逆方向リンク）は移動局から基地局への通信リンクを指し、ダウンリンク（または順方向リンク）は基地局から移動局への通信リンクを指す。
【０００６】
無線通信ネットワークのリソース（例えば、帯域幅および送信電力）は複数の移動局の間で共有される。符号分割多元接続（CDMA）、時分割多元接続（TDMA）、周波数分割多元接続（FDMA）、および直交周波数分割多元接続（OFDMA）を含む様々な複数の接続技術が知られている。
【０００７】
利点は、無線通信ネットワークの動作に関係する改善された方法および装置によって実現されうる。
【発明の概要】
【０００８】
無線通信ネットワークにおいてレンジングを効率的に実行するための方法が開示される。方法は移動局によって実施される。方法は、レンジングコードを基地局に送信することを含む。方法は、また、レンジング応答メッセージ（ranging response message）を基地局から受信することを含む。方法は、また、レンジング失敗条件（ranging failure condition）が満たされるか否かを決定することを含む。レンジング失敗条件は、持続時間以外の何かに関係する。方法は、また、レンジング失敗条件が満たされる場合に、レンジングコードを基地局に再送信することを含む。
【０００９】
無線通信ネットワークにおいて効率的なレンジングを促進するための方法が開示される。方法は基地局によって実施される。方法は、レンジングコードを移動局から受信することを含む。方法は、また、レンジングコードの受信に応答して、レンジング応答メッセージを移動局に送信することを含む。レンジング応答メッセージは順番に送信され、それによって、より遅いフレーム番号の受信レンジングコードに対応するレンジング応答メッセージは、より早いフレーム番号の受信レンジングコードに対応する全てのレンジング応答メッセージが送信された後に送信される。
【００１０】
無線通信ネットワークにおいてレンジングを効率的に実行するように構成された移動局が開示される。移動局はプロセッサを含む。移動局は、また、プロセッサと電気的に通信するメモリを含む。移動局はメモリに記憶された命令を含む。命令は、レンジングコードを基地局に送信するために、プロセッサによって実行可能である。命令は、また、レンジング応答メッセージを基地局から受信するために実行可能である。命令は、また、レンジング失敗条件が満たされたか否かを決定するために実行可能である。レンジング失敗条件は、持続時間以外の何かに関係する。命令は、レンジング失敗条件が満たされる場合に、レンジングコードを基地局に再送信するために、さらに実行可能である。
【００１１】
無線通信ネットワークにおいて効率的なレンジングを促進するように構成された基地局が開示される。基地局はプロセッサを含む。基地局は、また、プロセッサと電子的に通信するメモリを含む。基地局は、また、メモリに記憶される命令を含む。命令は、レンジングコードを移動局から受信するために、プロセッサによって実行可能である。命令は、また、レンジングコードの受信に応答して、レンジング応答メッセージを移動局に送信するために、実行可能である。レンジング応答メッセージは順番に送信され、それによって、より遅いフレーム番号の受信レンジングコードに対応するレンジング応答メッセージは、より早いフレーム番号の受信レンジングコードに対応する全てのレンジング応答メッセージが送信された後に送信される。
【００１２】
無線通信ネットワークにおいてレンジングを効率的に実行するように構成された移動局が開示される。移動局は、レンジングコードを基地局に送信するための手段を含む。移動局は、また、レンジング応答メッセージを基地局から受信するための手段を含む。移動局は、また、レンジング失敗条件が満たされるか否かを決定するための手段を含む。レンジング失敗条件は持続時間以外の何かに関係する。移動局は、レンジング失敗条件が満たされる場合に、レンジングコードを基地局に再送信するための手段をさらに含む。
【００１３】
無線通信ネットワークにおいて効率的なレンジングを促進するように構成された基地局が開示される。基地局はレンジングコードを移動局から受信するための手段を含む。基地局は、また、レンジングコードの受信に応答して、レンジング応答メッセージを移動局に送信するための手段を含む。レンジング応答メッセージは順番に送信され、それによって、より遅いフレーム番号の受信レンジングコードに対応するレンジング応答メッセージは、より早いフレーム番号の受信レンジングコードに対応する全てのレンジング応答メッセージが送信された後に送信される。
【００１４】
無線通信ネットワークにおいてレンジングを効率的に実行するためのコンピュータプログラム製品が開示される。コンピュータプログラム製品は、その上に命令を有するコンピュータ読み取り可能媒体を含む。命令は、レンジングコードを基地局に送信するためのコードを含む。命令は、また、レンジング応答メッセージを基地局から受信するためのコードを含む。命令は、また、レンジング失敗条件が満たされるか否かを決定するためのコードを含む。レンジング失敗条件は持続時間以外の何かに関係する。命令は、レンジング失敗条件が満たされる場合に、レンジングコードを基地局に再送信するためのコードをさらに含む。
【００１５】
無線通信ネットワークにおいて効率的なレンジングを促進するためのコンピュータプログラム製品が開示される。コンピュータプログラム製品は、その上に命令を有するコンピュータ読み取り可能媒体を含む。命令は、レンジングコードを移動局から受信するためのコードを含む。命令は、また、レンジングコードの受信に応答して、レンジング応答メッセージを移動局に送信するためのコードを含む。レンジング応答メッセージは順番に送信され、それによって、より遅いフレーム番号の受信レンジングコードに対応するレンジング応答メッセージは、より早いフレーム番号の受信レンジングコードに対応する全てのレンジング応答メッセージが送信された後に送信される。
【図面の簡単な説明】
【００１６】
【図１】図1は、複数の基地局および複数の移動局を有する無線通信システムを示す。
【図２】図2は、基地局および移動局の設計のブロック図を示す。
【図３】図3は、WiMAXネットワークにおいて、フレームの構造の、ある態様を表す例を示す。
【図４】図4は、WiMAXネットワークにおいて、フレームの構造の、ある追加の態様を表す例を示す。
【図５】図5は、移動局および基地局を含むレンジング手順の例を示す。
【図６】図6は、無線通信ネットワークにおいてレンジングを効率的に実行するための方法の例を示す。
【図７】図7は、図6の方法に対応する機能ブロックを示す。
【図８】図8は、図6のレンジング方法の例を示す。
【図９】図9は、本開示に従ってレンジングを効率的に実行するように構成された移動局内に含まれる、あるコンポーネントを示す。
【図１０】図10は、本開示に従って効率的なレンジングを促進するように構成された基地局内に含まれる、あるコンポーネントを示す。
【発明の詳細な説明】
【００１７】
本開示の方法および装置は、ブロードバンド無線通信ネットワークにおいて利用される。「ブロードバンド無線」という用語は、所与のエリアにわたって無線、音声、インターネット、および／またはデータネットワークアクセスを提供する技術を指す。
【００１８】
ブロードバンド無線アクセス標準についてのアメリカ電気電子学会（IEEE）802.16ワーキンググループは、ブロードバンド無線大都市エリアネットワークのグローバル展開のための公式な仕様を作成することを目指す。802.16ファミリーの標準は公にWirelessMANと呼ばれるが、WiMAXフォーラムと称す産業グループによって、「WiMAX」（「Worldwide Interoperability for Microwave Access」を表す）」と呼ばれている。従って、「WiMAX」という用語は、長距離にわたって高スループットブロードバンド接続を提供する標準ベースのブロードバンド無線技術を指す。
【００１９】
本明細書に記述される例のいくつかは、WiMAX標準に従って構成される無線通信ネットワークと関連がある。しかし、これらの例は、本開示の範囲を限定するとして解釈されるべきではない。
【００２０】
WiMAXは、OFDM（直交周波数分割多重）およびOFDMA（直交周波数分割多元接続）技術に基づいている。OFDMは、最近、様々な高速データレート通信ネットワークに広い適用を見出したデジタルマルチキャリア変調技術である。OFDMの場合、送信ビットストリームは、複数のより低い速度のサブストリームに分割される。各サブストリームは、複数の直交サブキャリアの1つで変調され、複数の並列サブキャリアの1つを通して送信される。OFDMAは、ユーザーが異なる時間スロットでサブキャリアを割り当てられる多元接続技術である。OFDMAは、広く変化するアプリケーション、データレート、およびサービス品質要求を多くのユーザーに提供するフレキシブルな多元接続技術である。
【００２１】
図1は、複数の基地局（BS）102および複数の移動局（MS）104を有する無線通信システム100を示す。基地局102は、移動局104と通信する局である。基地局102は、アクセスポイント、ノードB、発展型ノードBなどとも呼ばれ、それらの機能性のいくつかまたは全てを含みうる。各基地局102は、通信カバレッジを特定の地理的エリア106に提供する。「セル」という用語は、その用語が使用されるコンテキストに依存して、基地局102および／またはそのカバレッジエリア106を指す。システム容量を改善するために、基地局カバレッジエリア106は、複数のより小さいエリア（例えば、3つのより小さいエリア108a、108b、および108c）に分割される。より小さいエリア108a、108b、および108cの各々は、それぞれの基地局トランシーバ（BTS）によってサービスされる。「セクタ」という用語は、その用語が使用されるコンテキストに依存して、BTSおよび／またはそのカバレッジエリア108を指す。セクタ化されたセルについて、そのセルの全セクタに対するBTSは、典型的に、そのセルに対する基地局102内に一緒に配置される。
【００２２】
移動局104は、典型的に、システム100全体に分散され、各移動局104は固定または移動である。移動局104は、また、端末、アクセス端末、ユーザー機器、加入者ユニット、局などと呼ばれ、それらの機能性のいくつかまたは全てを含みうる。移動局104は、携帯電話、携帯情報端末（PDA）、無線デバイス、無線モデム、ハンドヘルドデバイス、ラップトップコンピュータなどである。移動局104は、任意の所与の時間に、ダウンリンク（DL）および／またはアップリンク（UL）上で0個、1個、または複数の基地局102と通信する。ダウンリンク（または、順方向リンク）は、基地局102から移動局104への通信リンクを指し、アップリンク（または、逆方向リンク）は、移動局104から基地局102への通信リンクを指す。
【００２３】
集中型アーキテクチャについて、システムコントローラ110は、基地局102に結合し、協調および制御をこれらの基地局102に提供する。システムコントローラ110は、単一のネットワークエンティティまたはネットワークエンティティの集合体である。分散型アーキテクチャについては、基地局102は、必要に応じて互いに通信する。
【００２４】
図2は、図1の基地局102の1つ、および移動局104の1つでありうる基地局102および移動局104の設計のブロック図を示す。基地局102において、送信（TX）データおよび制御プロセッサ212aは、トラフィックデータをデータソース（図示されない）から受信し、制御情報をコントローラ／プロセッサ214aから受信する。プロセッサ212aは、そのトラフィックデータおよび制御情報を処理（例えば、フォーマット、符号化、インターリーブ、およびシンボルマップ）し、変調シンボルを提供する。変調器（MOD）216aは、その変調シンボル（例えば、OFDMのための）を処理し、出力チップを提供する。送信機（TMTR）218aは、その出力チップを処理（例えば、アナログに変換、増幅、フィルタ、およびアップコンバート）し、アンテナ220aを介して送信されうるダウンリンク信号を生成する。
【００２５】
移動局104において、アンテナ220bは、ダウンリンク信号を基地局102および別の基地局102から受信し、受信信号を受信機（RCVR）222bに提供する。受信機222bは、その受信信号を調整（例えば、フィルタ、増幅、ダウンコンバート、デジタル化）し、受信サンプルを提供する。復調器（DEMOD）224bは、その受信サンプル（例えば、OFDMのための）を処理し、変調シンボルを提供する。受信（RX）データおよび制御プロセッサ226bは、復号データおよび移動局104についての制御情報を獲得するために、その復調シンボルを処理（例えば、シンボルデマップ（symbol demap）、デインターリーブ（deinterleave）、および復号）する。
【００２６】
アップリンク上で、移動局104において、移動局104によって送信されるべきデータおよび制御情報は、TXデータおよび制御プロセッサ212bによって処理され、変調器216bによって変調され、送信機218bによって調整され、アンテナ220bを介して送信される。基地局102において、移動局104および場合によっては別の移動局104からのアップリンク信号は、アンテナ220aによって受信され、変調器222aによって調整され、復調器224aによって復調され、移動局104によって送信されたデータおよび制御情報を回復するためにRXデータおよび制御プロセッサ226aによって処理される。一般に、アップリンク送信のための処理は、ダウンリンク送信のための処理と類似または異なる。
【００２７】
コントローラ／プロセッサ214aおよび214bは、それぞれ、基地局102および移動局104で動作を指揮する。メモリ228aおよび228bは、それぞれ、基地局102および移動局104につていのデータおよびプログラムコードを記憶する。スケジューラ230は、移動局104をダウンリンクおよび／またはアップリンク送信のためにスケジュールし、システムリソースの割り当てを提供する。
【００２８】
図3は、WiMAXネットワークにおいてフレーム332の構造の、ある態様を表す例を示す。WiMAXネットワークにおいて、フレーム332は一定の長さの時間インターバルである。時分割双方向（TDD）動作については、各フレーム332は、ダウンリンク（DL）サブフレーム334およびアップリンク（UL）サブフレーム336に分割される。ダウンリンクサブフレーム334はプリアンブル338から開始する。
【００２９】
WiMAXネットワークにおいて、スロット340は、ユーザーに帯域幅を割り当てるための最小ユニットである。スロット340は、スロット持続期間346（すなわち、ある数のシンボル348）にわたるサブチャネル342（すなわち、サブキャリア344のグループ）である。
【００３０】
図4は、WiMAXネットワークにおいて、フレーム432の構造の、ある付加的な態様を表す例を示す。フレーム432は、ガードインターバル450によって分離された、ダウンリンクサブフレーム434およびアップリンクサブフレーム436を含む。フレーム432は、L個のサブチャネル442を通して送信される。フレーム432は、ダウンリンクサブフレーム434にN個のシンボル448、アップリンクサブフレーム436にM-N個のシンボル448という総計M個のシンボル448を有する。
【００３１】
ダウンリンクサブフレーム434はプリアンブル438を含む。プリアンブル438は、時間および周波数同期化および初期チャネル推定などの物理層手順に使用される。ダウンリンクサブフレーム434は、また、フレーム制御ヘッダ（FCH）452を含む。FCH 452は、MAPメッセージ長、変調および符号化方式、および使用に適したサブチャネル442などの構成情報をフレーム432に提供する。
【００３２】
複数のユーザーは、フレーム432内のデータ領域を割り当てられ、これらの割り当ては、ダウンリンクMAPメッセージ454およびアップリンクMAPメッセージ456において特定される。MAPメッセージ454および456は、各ユーザーについてのバーストプロファイルを含み、それは、使用される変調および符号化方式を定義する。
【００３３】
ダウンリンクサブフレーム434は、また、複数のダウンリンクバースト458a-hを含む。第1のダウンリンクバースト458aは、典型的にアップリンクMAPメッセージ456である。ダウンリンクバースト458a-hは、可変サイズおよびタイプであり、いくつかのユーザーに対してデータを運ぶ。
【００３４】
アップリンクサブフレーム436は、異なるユーザーからの複数のアップリンクバースト460a-dを含む。アップリンクサブフレーム436は、また、ネットワークエントリの間及びその後周期的に、閉ループ周波数、時間、および電力調整を実行するために使用されるレンジングチャネル462を含む。レンジングチャネル462は、また、アップリンク帯域幅要求を作成するために移動局によって使用される。
【００３５】
アップリンクサブフレーム436は、また、基地局のスケジューラによって使用されうるチャネル品質情報をフィードバックするために、移動局に対するチャネル品質インジケータチャネル（CQICH）464を含む。CQICH 464は、また、高速フィードバックチャネル464とも呼ばれる。アップリンクサブフレーム436は、また、ダウンリンク肯定応答をフィードバックするために移動局によって使用されるハイブリッド自動反復要求（HARQ）肯定応答（ACK）チャネル466を含む。
【００３６】
本開示は一般にレンジングに関する。レンジングは、送信信号のタイミング、電力および周波数を調整するためにWiMAX移動局によって利用される手順である。加えて、移動局は、基本CID（接続ID）（Basic CID）および第1の管理CID（Primary Management CID）を獲得するため、および／または帯域幅を要求するためにレンジングを利用する。レンジングは、WiMAXネットワークに入ると移動局によって実行される最初の手順でありうる。加えて、レンジングは、WiMAXネットワークに入った後に移動局によって利用される（例えば、帯域幅を要求するために）。
【００３７】
次に図5を参照する。図5は、移動局（MS）504および基地局（BS）502を含むレンジング手順の例を示す。
【００３８】
描写されるレンジング手順において、移動局504は、レンジングコード566を基地局502に送信する。基地局502がレンジングコード566を受信すると、基地局502は、レンジング応答メッセージ（RNG-RSP）568で応答する。基地局502は、移動局504によって使用されるフレーム番号、シンボル番号、サブチャネル番号、およびレンジングコード566が識別される匿名の方法でレンジング応答メッセージ568を送信する。これらのレンジングコード属性をマッチングすることによって、移動局504は、レンジング応答メッセージ568が移動局504に対するものであるか否かを知ることができる。
【００３９】
移動局504が、レンジング応答メッセージ568は移動局504に対するものであると決定すると、次に、移動局504および基地局502は、そのレンジング手順を続ける。例えば、基地局502は、アップリンクMAP（UL MAP）メッセージ556を移動局504に送信する。移動局504は、レンジング要求メッセージ（RNG-REQ）570を基地局502に送信する。
【００４０】
一方で、移動局504がレンジングコード566を送信した後の一定の期間内に、マッチングレンジングコード属性を有するレンジング応答メッセージ568を受信しない場合、移動局504はレンジングに失敗したと決定する。移動局504は、次に、レンジングコード566を再送信する。WiMAX標準において、移動局504が、レンジングコード566を再送信する前に待つ期間はT3タイマ572によって定義される。T3タイマ572のためのデフォルト値は50msであり、T3タイマ572のための最大値は200msである。
【００４１】
レンジング失敗を発見するための現在のアプローチは、長い処理遅延に帰着し、そのため現在のアプローチは重大な量のバッテリ電力を消費する。本開示は、そのような問題を緩和するための技術に関する。
【００４２】
オリジナルの802.16標準は2001年12月に完成した。さらなる修正は、2004年に、IEEE 802.16-2004と呼ばれる新しい標準に帰着した。802.16-2004への補正（IEEE 802.16e-2005と呼ばれる）は2005年に完結した。IEEE 802.16e-2005は、時々IEEE 802.16eと呼ばれる。IEEE 802.16mと呼ばれる別の補正は現在準備中である。
【００４３】
IEEE 802.16mのフレーム構造案において、各フレームは多数のサブフレームに分割される。IEEE 802.16e端末およびIEEE 802.16m端末は異なるサブフレームを占める。レンジングオーバーヘッドの量を削減するための1つの方法は、IEEE 802.16e端末とIEEE 802.16m端末の両方が同一のレンジング領域を共有できるようにすることである。レンジングコードは、次に、2つの異なるセットのレンジングコードに分割される。第1のセットのレンジングコードは、IEEE 802.16e端末によって使用されるためのものであり、第2のセットのレンジングコードはIEEE 802.16m端末によって使用されるためのものである。レンジング応答メッセージ内のレンジング属性の一部は、レンジ応答メッセージがセット1（すなわちIEEE 802.16e）からのレンジングコードのためのものであるか、セット2（すなわちIEEE 802.16m）からのレンジングコードのためのものであるかを表示するように設定されうる。
【００４４】
本開示は、基地局が順番にレンジング応答メッセージ（RNG-RSP）を全ての検出されたレンジングコードに送信するべきであることを提案する。すなわち、より遅いフレーム番号を有するレンジングコード属性のレンジング応答メッセージは、より早いフレーム番号を有するレンジングコード属性の全てのレンジング応答メッセージの後に送信されるべきである。レンジングコード属性のフレーム番号が実フレーム番号の最下位8ビットを示すため、フレームMは、以下の条件（1）または条件（2）のいずれかが満たされる場合にはフレームNよりも早い。
【数１】
2011525337.tif 000003
【数２】
2011525337.tif 000004
【００４５】
IEEE 802.16eに従って構成された移動局（以下「16e MS」）が、フレーム番号＝Mの最下位8ビットを有するフレーム上でレンジングコードを送信すると仮定しよう。この例において、16e MSは：（1）受信レンジング応答メッセージのレンジング属性がセット1（すなわちIEEE 802.16e端末）に対応する場合；（2）レンジング応答メッセージがフレーム番号＝Nの最下位8ビットを含む場合；（3）MがNよりも早い場合；および、（4）同一のWiMAXフレームにおいて、このMSに対する任意の別のレンジング応答メッセージが存在しない場合にレンジング失敗を決定することができる。これらの条件が満たされると、T3タイマが終了しないとしても、MSはRNG-RSPメッセージの監視を中止し、WiMAX標準において定義されるように、バックオフアルゴリズムを使用してレンジングコードの送信を直ちに再試行することができる。
【００４６】
次に図6を参照する。図6は、WiMAXネットワークのような無線通信ネットワークにおいてレンジングを効率的に実行するための方法600の例を示す。方法600は移動局によって実施される。移動局は、IEEE 802.16eに従って構成される。
【００４７】
描写される方法600において、移動局はレンジングコードを基地局に送信する（602）。レンジングコードを基地局に送信した（602）後のある地点で、移動局は、レンジング応答メッセージ（RNG-RSP）を基地局から受信する（604）。レンジング応答メッセージの受信（604）を受けて、移動局は、受信レンジング応答メッセージが送信されたレンジングコードに対応するか否かを決定する（605）。対応する場合、方法600は終了する。
【００４８】
受信レンジング応答メッセージが、送信されたレンジングコードに対応しないと決定される（605）場合、次に、移動局は、レンジング応答メッセージにおいて特定されるレンジング属性がセット1（すなわちIEEE 802.16e端末）に対応するか否かを決定する（606）。
【００４９】
移動局が、レンジング応答メッセージにおいて特定されるレンジング属性はセット1に対応すると決定する（606）場合、移動局は、次に、レンジング応答メッセージに対応するフレーム番号がレンジングコードに対応するフレーム番号よりも遅いか否かを決定する（608）。これは、上に記述された条件（1）または条件（2）のいずれかが満たされるか否かを決定することを含む。
【００５０】
移動局が、レンジング応答メッセージに対応するフレーム番号がレンジングコードに対応するフレーム番号よりも遅いと決定する（608）場合、次に、移動局は、それが同一のフレームにおいて任意の別のレンジング応答メッセージを受信したか否かを決定する（610）。そうではない場合、次に、移動局は、レンジング応答メッセージの監視を中止し（612）、移動局は、レンジングコードを基地局に再送信する（614）。
【００５１】
移動局が、レンジング応答メッセージに含まれるフレーム番号が前に送信されているレンジングコードに対応するフレーム番号よりも遅くないと決定する（608）と、次に、移動局はレンジング応答メッセージの監視を継続する（616）。
【００５２】
移動局が、レンジング応答メッセージにおいて特定されるレンジング属性は移動局に適用されないと決定する（606）と、次に、移動局は、それが同一のフレームにおいて任意の別のレンジング応答メッセージを受信したか否かを決定する（610）。受信していた場合、次に、追加の各レンジング応答メッセージが上に記述されたと同じ方法で処理される。
【００５３】
上に記述された図6の方法600は、図7に示される手段／機能ブロック700に対応して、様々なハードウェアおよび／またはソフトウェアコンポーネントおよび／またはモジュールによって実行される。換言すると、図6に示されるブロック602から616は、図7に記述される手段／機能ブロック702から716に対応する。
【００５４】
次に図8を参照する。図8は、図6のレンジング方法600の例を示す。描写された例は、移動局（MS）804および基地局（BS）802を含むレンジング手順を示す。移動局804はIEEE 802.16eに従って構成される。
【００５５】
描写される例において、移動局804は、レンジングコード866を基地局802に送信する。レンジングコード866は、フレーム番号＝Mの最下位8ビットを有するフレーム上で送信される。基地局802は、レンジング応答メッセージ（RNG-RSP）868を移動局804に送信する。レンジング応答メッセージ868は、移動局804が対応するレンジングコード866を送信するフレームNのフレーム番号の最下位8ビットを含む。
【００５６】
レンジング応答メッセージ868の受信を受けて、移動局804は、レンジング応答メッセージ868において特定されるレンジング属性がセット1（すなわち、IEEE 802.16e端末）に対応することを決定する（874）。
【００５７】
移動局804は、また、フレームMがフレームNよりも早いことを決定する（876）。これは、上に明示された条件（1）または条件（2）のいずれかが満たされるか否かを決定することを含む。
【００５８】
移動局804が同一のフレームにおいて任意の別のレンジング応答メッセージ868を受信していない場合、次に、移動局804は、レンジングコード866を基地局802に再送信する。これは、WiMAX標準に現在特定されているT3タイマ872の終了の前に生じる。従って、本明細書に記述された技術は、既知のアプローチと比べて、レンジングにおける待ち時間を削減することができる。
【００５９】
次に図9を参照する。図9は、本開示に従ってレンジングを効率的に実行するように構成された移動局904内に含まれる、あるコンポーネントを示す。
【００６０】
移動局904はプロセッサ912を含む。プロセッサ912は、汎用のシングルチップまたはマルチチップマイクロプロセッサ（例えばARM）、専用マイクロプロセッサ（例えば、デジタル信号プロセッサ（DSP））、マイクロコントローラ、プログラマブルゲートアレイなどである。プロセッサ912は中央処理装置（CPU）と呼ばれる。単一のプロセッサ912のみが図9の移動局904に示されるが、代替の構成において、プロセッサの組み合わせ（例えば、ARMとDSP）が使用されうる。
【００６１】
移動局904は、また、メモリ928を含む。メモリ928は、電子情報を記憶することができる任意の電子コンポーネントである。メモリ928は、ランダムアクセスメモリ（RAM）、読み取り専用メモリ（ROM）、磁気ディスク記憶媒体、光学記憶媒体、RAM内のフラッシュメモリデバイス、プロセッサに含まれるオンボードメモリ、EPROMメモリ、EEPROMメモリ、レジスタなど、およびそれらの組み合わせとして具体化される。
【００６２】
データ978および命令980はメモリ928に記憶される。命令980は、様々な機能を実施するために、プロセッサ912によって実行可能である。命令980を実行することは、メモリ928に記憶されるデータ978の使用を伴う。
【００６３】
メモリ928のデータ978は基地局に送信されるべきレンジングコード966を含む。レンジングコード966は、上に記述されたように、移動局904によって送信される。
【００６４】
メモリ928のデータ978は、また、基地局から受信される複数のレンジング応答メッセージ968を含む。レンジング応答メッセージ968の各々は、移動局904が対応するレンジングコード966を送信したフレームNのフレーム番号の最下位8ビット982を含む。
【００６５】
メモリ928のデータ978は、また、1つ以上のレンジング失敗条件984を含む。各レンジング失敗条件984は、持続時間以外の何かに関係する。レンジング失敗条件984の例は上に記述された条件（1）および（2）である。これら両方のレンジング失敗条件984は、送信されたレンジングコード966に対応するフレーム番号が受信レンジング応答メッセージ968に対応するフレーム番号よりも早いか否かに関係する。
【００６６】
メモリ928のデータ978は、また、レンジングタイマ972を含む。レンジングタイマ972の例は、現在のWiMAX標準において特定されるT3タイマである。
【００６７】
本明細書に記述された技術を実施することに関連する別のタイプのデータ978は、また、メモリ928に含まれうる。
【００６８】
メモリ928の命令980は、レンジングコード966を基地局に送信するための命令988、および、レンジング応答メッセージ968を基地局から受信するための命令990を含む。加えて、メモリ928の命令980は、レンジングコード966のレンジング属性がセット1（IEEE 802.16e）に対応するか否かを決定するための命令992を含む。
【００６９】
メモリ928の命令980は、また、レンジング失敗条件984が満たされるか否かを決定するための命令994を含む。加えて、メモリ928の命令980は、任意の付加的なレンジング応答メッセージ968が同一のフレームにおいて受信されたか否かを決定するための命令996を含む。
【００７０】
メモリ928の命令980は、また、レンジングコード966のレンジング属性がセット1に対応し、少なくとも1つのレンジング失敗条件984が満たされ、および、付加的なレンジング応答メッセージ968が同一のフレームにおいて受信されていない場合に、レンジングコード966を基地局に再送信するための命令998を含む。
【００７１】
本明細書に記述される技術を実施することに関連する別の命令980は、また、メモリ928に含まれうる。
【００７２】
移動局904は、また、移動局904とリモートロケーションとの間で信号の送受信を可能にするために、送信機918および受信機922を含む。送信機918および受信機922は、集合的にトランシーバ999と呼ばれる。アンテナ920は電気的にトランシーバ999に結合される。移動局904は、また、複数の送信機、複数の受信機、複数のトランシーバ、および／または複数のアンテナ（図示されない）を含みうる。
【００７３】
移動局904の様々なコンポーネントは、電力バス、制御信号バス、ステータス信号バス、データバスなどを含む1つ以上のバスによって共に結合される。明快にするために、様々なバスがバスシステム997として図9に示される。
【００７４】
次に図10を参照する。図10は、本開示に従って効率的なレンジングを促進するにするように構成された基地局1002内に含まれる、あるコンポーネントを示す。
【００７５】
基地局1002は、図9の移動局904のコンポーネントと類似する多くのコンポーネントを含み、それは、プロセッサ1012、データ1078および命令1080の両方を記憶するメモリ1028、送信機1018および受信機1022を含むトランシーバ1099、アンテナ1020、およびシステムバス1097を含む。
【００７６】
メモリ1028のデータ1078は、移動局から受信される複数のレンジングコード1066を含む。レンジングコード1066は、また、上に記述されるように、移動局から受信される。
【００７７】
メモリ1028のデータ1078は、また、複数のレンジング応答メッセージ1068を含む。特定のレンジング応答メッセージ1068は、特定のレンジングコード1066の受信に応答して移動局に送信される。各レンジング応答メッセージ1068は、また、移動局が対応するレンジングコード1066を送信したフレームNのフレーム番号の最下位8ビット1082を含む。
【００７８】
本明細書に記述される技術を実施することに関連する別のタイプのデータ1078は、また、メモリ1028に含まれうる。
【００７９】
メモリ1028の命令1080は、レンジングコード1066を移動局から受信するための命令1095、および、レンジングコード1066の受信に応答してレンジング応答メッセージ1068を移動局に送信するための命令1093を含む。レンジング応答メッセージ1068は順番に送信され、それによって、より遅いフレーム番号の受信レンジングコードに対応するレンジング応答メッセージ1068は、より早いフレーム番号の受信レンジングコードに対応する全てのレンジング応答メッセージ1068が送信された後に送信される。
【００８０】
本明細書に記述される技法を実施することに関連する別の命令1080は、また、メモリ1028に含まれうる。
【００８１】
本明細書に記述される技法は、直交多重方式に基づく通信システムを含む様々な通信システムに使用される。そのような通信システムの例は、直交周波数分割多元接続（OFDMA）システム、単一キャリア周波数分割多元接続（SC-FDMA）システムなどを含む。OFDMAシステムは、システム帯域幅全体を複数の直交サブキャリアに分割する変調技術である直交周波数分割多重（OFDM）を利用する。これらのサブキャリアは、また、トーン、ビンなどとも呼ばれる。OFDMの場合、各サブキャリアは個別にデータで変調される。SC-FDMAシステムは、システム帯域幅にわたって分散されるサブキャリア上で送信するためにインターリーブ型FDMA（interleaved FDMA：IFDMA）を利用し、隣接サブキャリアのブロック上で送信するために局所型FDMA（localized FDMA：LFDMA）を利用し、または、隣接サブキャリアの複数のブロック上で送信するために拡張型FDMA（enhanced FDMA：EFDMA）を利用する。一般に、変調シンボルは、OFDMを用いて周波数ドメインにおいて送信され、SC-FDMAを用いて時間ドメインにおいて送信される。
【００８２】
上の記述において、参照番号は、時々、様々な用語と関連して使用されている。用語が参照番号と関連して使用される場合、これは、1つ以上の図に示される特定のエレメントを指すことを意味する。用語が参照番号なしに使用される場合、これは、一般的に、任意の特定の図への限定がない用語を指すことを意味する。例えば、「移動局904」への参照は、図9に示される特定の移動局を指す。しかし、参照番号がない「移動局」の使用は、用語が使用されるコンテキストに適切な任意の移動局を指し、図に示される任意の特定の移動局に限定されない。
【００８３】
本明細書で使用されるように「決定すること」という用語は多種多様な動作を包含し、それゆえ、「決定すること」は、算定すること、計算すること、処理すること、引き出すこと、調査すること、ルックアップすること（例えば、テーブル、データベース、または別のデータ構造内をルックアップする）、確実にすること、およびそのようなもの含む。また、「決定すること」は、受信すること（例えば、情報を受信すること）、アクセスすること（メモリ内のデータにアクセスすること）、およびそのようなものを含む。また、「決定すること」は、解決すること、選択すること、選定すること、確立すること、およびそのようなものを含む。
【００８４】
「〜に基づいて」という表現は、そうでないと明確に示されない限り、「〜だけに基づいて」を意味しない。換言すると、「〜に基づいて」という表現は、「〜だけに基づいて」および「少なくとも〜に基づいて」の両方を表す。
【００８５】
「プロセッサ」という用語は、汎用プロセッサ、中央処理装置（CPU）、マイクロプロセッサ、デジタル信号プロセッサ（DSP）、コントローラ、マイクロコントローラ、ステートマシンなどを包含するために広く解釈されるべきである。いくつかの状況下において、「プロセッサ」は、特定用途向け集積回路（ASIC）、プログラマブル論理デバイス（PLD）。フィールドプログラマブルゲートアレイ（FPGA）などを指す。「プロセッサ」という用語は、例えば、DSPとマクロプロセッサ、複数のマイクロプロセッサ、DSPコアに結合した1つ以上のマイクロプロセッサ、または任意の別のそのような構成の組み合わせなどの計算デバイスの組み合わせを指す。
【００８６】
「メモリ」という用語は、電子情報を記憶可能な任意の電子コンポーネントを包含するために、広く解釈されるべきである。メモリという用語は、ランダムアクセスメモリ（RAM）、読み取り専用メモリ（ROM）、不揮発性ランダムアクセスメモリ（NVRAM）、プログラマブル読み取り専用メモリ（PROM）、消去可能プログラマブル読み取り専用メモリ（EPROM）、電気的消去可能PROM（EEPROM）、フラッシュメモリ、磁気または光学データ記憶装置、レジスタなどの様々なタイプのプロセッサ読み取り可能媒体を指す。メモリは、プロセッサがメモリから情報を読み取り、および／またはメモリに情報を書き込むことが可能な場合に、プロセッサと電子的に通信状態にあるといわれる。メモリがプロセッサに一体化されても、プロセッサと電子的も通信状態にあるといわれる。
【００８７】
「命令」および「コード」という用語は、任意のタイプのコンピュータ読み取り可能ステーメントを含むために広く解釈されるべきである。例えば、「命令」および「コード」という用語は、1つ以上のプログラム、ルーティン、サブルーティン、機能、および手順などを指す。「命令」および「コード」は、単一のコンピュータ読み取り可能ステートメントまたは多数のコンピュータ読み取り可能ステートメントを備える。
【００８８】
本明細書に記述される機能は、ハードウェア、ソフトウェア、ファームウェア、またはそれらの任意の組み合わせに実施される。ソフトウェアに実施された場合、その機能はコンピュータ読み取り可能媒体上の1つ以上の命令として記憶される。「コンピュータ読み取り可能媒体」という用語は、コンピュータによってアクセスされることができる任意の利用可能な媒体を指す。それに制限されない例として、コンピュータ読み取り可能媒体はRAM、ROM、EEPROM、CD-ROMまたは他の光学ディスク記憶装置、磁気ディスク記憶装置または他の磁気記憶デバイス、もしくはコンピュータによってアクセスされることができ、命令やデータ構造形で所望のプログラムコードを運んだり記憶したりするために使用されうる任意の別媒体を備える。ディスク（disk）とディスク（disc）は、本明細書で使用されているように、コンパクトディスク（CD）、レーザディスク、光ディスク、デジタルビデオディスク（DVD）、フロッピー（登録商標）ディスク、およびブルーレイ（登録商標）ディスクを含む。ディスク（disk）は通常磁気作用によってデータを再生し、ディスク（disc）はレーザーで光学的にデータを再生する。
【００８９】
ソフトウェアまたは命令は、また、送信媒体を通して送信される。例えば、同軸ケーブル、光ファイバーケーブル、撚線対、デジタル加入者回線（DSL）、または赤外線、無線、マイクロ波などの無線テクノロジーを使用してウェブサイト、サーバ、または他のリモートソースからソフトウェアが送信されると、同軸ケーブル、光ファイバーケーブル、撚線対、DSL、または赤外線、無線、マイクロ無線などの無線テクノロジーは送信媒体の定義に含まれる。
【００９０】
本明細書に開示された方法は、記述された方法を達成するための1つ以上のステップまたは動作を備える。方法のステップおよび／または動作は、請求項の範囲を逸脱することなく互いに交換可能である。換言すれば、ステップまたは動作の特定の順序が記述されている方法の適切な動作のために要求されない限り、特定のステップおよび／または動作の順序および／または使用は、請求項の範囲を逸脱することなく変更されうる。
【００９１】
さらに、本明細書に記述された方法および技術を実行するためのモジュールおよび／または別の適切な手段（例えば、図6によって示されたそれらなど）が、適用可能であるとして、移動局および／または基地局によってダウンロードされ、および／または他の方法で獲得されうることは認識されるべきである。例えば、そのようなデバイスは、本明細書に記述された方法を実行するための手段の移転を促進するためにサーバに結合されうる。あるいは、本明細書に記述される様々な方法は、記憶手段をデバイスに結合または提供することを受けて、移動局および／または基地局が様々な方法を獲得できるように、記憶手段（例えば、ランダムアクセスメモリ（RAM）、読み取り専用メモリ（ROM）、コンパクトディスク（CD）またはフロッピーディスクなどの物理記憶媒体）を介して提供されうる。さらに、本明細書に記述された方法および技術をデバイスに提供するための任意の別の適切な技術が利用されうる。
【００９２】
請求項が上に示された通りの構成およびコンポーネントに限定されないことは理解されるべきである。様々な修正、変更および変形は、請求項の範囲から逸脱することなく、本明細書に記述されたシステム、方法および装置の配列、動作および細部おいて実施されうる。
【図１】
2011525337.tif 000005
【図２】
2011525337.tif 000006
【図３】
2011525337.tif 000007
【図４】
2011525337.tif 000008
【図５】
2011525337.tif 000009
【図６】
2011525337.tif 000010
【図７】
2011525337.tif 000011
【図８】
2011525337.tif 000012
【図９】
2011525337.tif 000013
【図１０】
2011525337.tif 000014
【国際調査報告】
2011525337.tif 000015
2011525337.tif 000016
2011525337.tif 000017